(57)【要約】【課題】  スタジオの調整室或いは中継車等内に設置され、比較的暗い場所であっても視覚的に区別し易いリモートコントロールパネルを提供することを目的とするものである。【解決手段】  ビデオカメラを遠隔制御するリモートコントロールパネル１０であり、リモートコントロールパネル１０表面の少なくとも一縁部に、リモートコントロールパネル１０を複数隣接して並べた際に各パネル間の区分けを視覚的に視認させる仕切部材２０を設けたものである。【選択図】  図２
2006279642.tif 000002
【特許請求の範囲】
【請求項１】
ビデオカメラを遠隔制御するリモートコントロールパネルにおいて、
前記リモートコントロールパネル表面の少なくとも一縁部に、該リモートコントロールパネルを複数隣接して並べた際に各パネル間の区分けを視覚的に視認させる仕切部材を設けたことを特徴とするリモートコントロールパネル。
【請求項２】
前記仕切部材が、前記リモートコントロールパネル表面の色合いと異なる色の板状部材であることを特徴とする請求項１に記載のリモートコントロールパネル。
【請求項３】
前記仕切部材が、操作者が視認可能な光を発する可変式の発光手段と該発光手段からの光を導く導光板とからなることを特徴とする請求項１に記載のリモートコントロールパネル。
【請求項４】
前記発光手段が、少なくとも二色の光源を持つ発光ダイオードと、該発光ダイオードの発光色を変える発光色可変手段とからなり、かつ前記導光板が、該発光ダイオードの光を反射する反射面を有し、該反射面からの反射光を前記板状部材のパネル表面側から放射することを特徴とする請求項３に記載のリモートコントロールパネル。
【発明の詳細な説明】
【技術分野】
【０００１】
本発明は、ビデオカメラを遠隔制御するリモートコントロールパネルに関し、詳しくはスタジオ等に設置した複数台のビデオカメラに対応して設けられるリモートコントロールパネルの各パネル間の区分けを視覚的に視認できるようにしたリモートコントロールパネルに関するものである。
【背景技術】
【０００２】
テレビ番組の制作では、スタジオなどに複数台のビデオカメラを使用し、様々な角度から被写体を撮影し、各ビデオカメラからの画像をスイッチャーにより切換を行って制作している。各ビデオカメラはそれぞれカメラ制御機器（以下、ＣＣＵと称する）によりカメラ調整が行われる。また、ＣＣＵはリモートコントロールパネル（以下、ＲＣＰと称する）から調整が行われる。テレビ番組の制作では、例えば各ビデオカメラの色調が一致しなければならないので、各ビデオカメラの各技術的なパラメータの制御をＲＣＰを通して行っている。
【０００３】
図５はビデオカメラ制御装置を示すブロック図であり、複数のビデオカメラ１が各ＣＣＵ２が接続され、ＣＣＵ２はＲＣＰ３から入力される制御信号に基づいてビデオカメラ１の各技術的なパラメータの制御している。また、各ＣＣＵ２はマスター制御ユニット４により制御できるように構成されている。スタジオの調整室或いは中継車内には、図６に示したように、各ビデオカメラを制御する複数台のＲＣＰ３が並置されている。（例えば、特許文献１参照）。
【０００４】
【特許文献１】特開平５−１４５８２１号公報（明細書全文，図面全図）
【発明の開示】
【発明が解決しようとする課題】
【０００５】
従来のＲＣＰは、図６のように複数台のＲＣＰ３が並置されており、比較的大型である場合には各ＲＣＰの区別が容易であってそれ程問題にはならなかったが、近年、ＲＣＰの小型化と軽量化が進み、ＲＣＰの横幅が狭くなり、普通ＲＣＰが近接して配列されており、制御対象のビデオカメラに対応するＲＣＰの区別が分かり難くなり、しかも、スタジオの調整室或いは中継車内は比較的暗く、制御対象のビデオカメラのＲＣＰを見誤って誤操作するおそれがあった。
【０００６】
本発明は上記課題に鑑みてなされたものであり、スタジオの調整室或いは中継車等内に設置され、比較的暗い場所であっても視覚的に区別し易いリモートコントロールパネルを提供することを目的とするものである。
【課題を解決するための手段】
【０００７】
本発明は上記課題を達成したものであり、請求項１の発明は、ビデオカメラを遠隔制御するリモートコントロールパネルにおいて、前記リモートコントロールパネル表面の少なくとも一縁部に、該リモートコントロールパネルを複数隣接して並べた際に各パネル間の区分けを視覚的に視認させる仕切部材を設けたことを特徴とするリモートコントロールパネルである。
【０００８】
また、請求項２の発明は、前記仕切部材が、前記リモートコントロールパネル表面の色合いと異なる色の板状部材であることを特徴とする請求項１に記載のリモートコントロールパネルである。
【０００９】
また、請求項３の発明は、前記仕切部材が、操作者が視認可能な光を発する可変式の発光手段と該発光手段からの光を導く導光板とからなることを特徴とする請求項１に記載のリモートコントロールパネルである。
【００１０】
また、請求項４の発明は、前記発光手段が、少なくとも二色の光源を持つ発光ダイオードと、該発光ダイオードの発光色を変える発光色可変手段とからなり、かつ前記導光板が、該発光ダイオードの光を反射する反射面を有し、該反射面からの反射光を前記板状部材のパネル表面側から放射することを特徴とする請求項３に記載のリモートコントロールパネルである。
【発明の効果】
【００１１】
請求項１の発明では、ビデオカメラを遠隔制御するリモートコントロールパネルにおいて、前記リモートコントロールパネル表面の少なくとも一縁部に、該リモートコントロールパネルを複数隣接して並べた際に各パネル間の区分けを視覚的に視認させる仕切部材を設けたことを特徴とするリモートコントロールパネルであるので、比較的暗いスタジオの制御室や中継車内であっても、各ビデオカメラに対応したＲＣＰを視覚的に区別し易い利点がある。
【００１２】
また、請求項２の発明では、前記仕切部材が、前記リモートコントロールパネル表面の色合いと異なる色の板状部材であることを特徴とする請求項１に記載のリモートコントロールパネルであるので、比較的暗いスタジオの制御室や中継車内であっても、各ビデオカメラに対応したＲＣＰを色彩により視覚的に区別し易い利点がある。
【００１３】
また、請求項３の発明では、前記仕切部材が、操作者が視認可能な光を発する可変式の発光手段と該発光手段からの光を導く導光板とからなることを特徴とする請求項１に記載のリモートコントロールパネルであるので、比較的暗いスタジオの制御室や中継車内であっても、各ビデオカメラに対応したＲＣＰを光の色彩により視覚的に一層区別し易い利点がある。
【００１４】
また、請求項４の発明では、前記発光手段が、少なくとも二色の光源を持つ発光ダイオードと、該発光ダイオードの発光色を変える発光色可変手段とからなり、かつ前記導光板が、該発光ダイオードの光を反射する反射面を有し、該反射面からの反射光を前記板状部材のパネル表面側から放射することを特徴とする請求項３に記載のリモートコントロールパネルであるので、比較的暗いスタジオの制御室や中継車内であっても、各ビデオカメラに対応したＲＣＰを光の色彩により視覚的に一層区別し易い利点があり、操作者の好みに応じて色彩の光で各ＲＣＰを仕切って操作することができる。
【発明を実施するための最良の形態】
【００１５】
以下、本発明に係るリモートコントロールパネルの実施の形態について図面を参照し説明する。図１（ａ）は、本発明の実施形態を示す正面図であり、図１（ｂ）はその側面図である。図２（ａ）は本実施形態の斜視図と要部拡大図が示され、図２（ｂ）は仕切部材の要部断面図である。図３は本実施形態における仕切部材をパネル本体に組み込む組立図である。
【００１６】
本発明のリモートコントロールパネル（ＲＣＰ）は、テレビ番組の制作に当たり、各ビデオカメラを制御するための各パラメータの制御信号をカメラ制御機器（ＣＣＵ）に送り、ビデオカメラの技術的パラメータを制御している。図１（ａ）はＲＣＰ１０の筐体１０ａに操作パネル１０ｂが設けられ、操作パネル１０ｂには各種スイッチ群等が設けられ、これらのスイッチ群１２，１４或いはジョイステック装置１１によって、カメラヘッドの光学系、光電変換部、及びフィルタ系を制御したり、映像信号の処理が行われている。簡単にＲＣＰ１０の操作パネルのスイッチ群等について説明すると、光学系の制御部としては、ジョイステック装置１１が設けられ、レンズの絞り（アイリス）を調整したり、その近傍にアイリスのオートスイッチ１１ａが設けられている。フィルタ系の制御部としは、レンズの光軸に設置されるフィルター（色温度変換フィルター，ＮＤフィルター，光効果フィルター）を切り換えるスイッチ群１２が設けられ、レンズからの光の透過率又は色温度等の選択が行われ、これらのフィルターの切れ換えを行う際に、選択したフィルター種を表示するディスプレイ１３が設けられている。このディスプレイ１３は、液晶タッチパネルになっており、ここからも各種ソフト的な設定ができるマルチディスプレイである。また、映像信号の処理系では、ガンマーカーブの補正、ニー、ゲイン、ペデスタル、フレア、ディテール等の操作を行うスイッチ群１４が設けられている。さらに、操作パネル１０ｂにはＣＡＭ電源スイッチ１５やアラーム表示灯１６等が設けられている。操作パネル１０ｂの裏面側の機構部品や回路部が筐体１０ａに収納されて取り付け、また筐体１０ａにはビデオカメラ等に接続するためのコネクタ群１９が設けられている。ＲＣＰ１０はスタジオの調整室或いは中継車内の操作盤に筐体１０ａを挿入して取付耳部１７，１８で操作盤に固定し、複数台が並置される。
【００１７】
操作パネル１０ｂの一側壁部の縁部には仕切部材２０が設けられている。因みに、ディスプレイ１３は、その後部を手前より僅かに高くして傾斜が与えられ、操作者が視認し易いように構成されており、仕切部材２０はこの傾斜に沿った操作面１０ｂと面一の形状であり、仕切部材２０の側部が操作面１０ｂの側壁に接し、仕切部材２０の底部が筐体１０ａに接している。仕切部材２０は、例えば着色したアクリル板であり、操作パネル１０ｂの色彩とは異なる色彩のものが選択され、ＲＣＰ１０を操作盤に複数台並置した際に各ＲＣＰ１０を区別し易いものが用いられる。また、仕切部材２０は、透明なアクリル板を用い、操作パネル１０ｂと面一の表面を除く底部と側部にカラー印刷をし、さらに黒印刷を行ってもよい。さらに、上部プレート部分２１は、仕切部材２０と同種のアクリル板を用いてもよい。また、仕切部材２０は操作パネル１０ｂの両側壁に設けてもよいし、操作パネル１０ｂの上部と下部に設けて、他のＲＣＰ１０と区別するようにしてもよい。また、蛍光塗料を透明な樹脂に分散させた仕切部材２０を用いてもよい。
【００１８】
次に、仕切部材２０の他の形態について説明する。図２（ａ），（ｂ）は、仕切部材２０を図１に示したアクリル板を用い、その底部を反射面２０ａとすべく、傾斜面を形成し、この傾斜面に銀印刷層２０ｂを設けられ、さらに黒印刷２０ｃが設けられている。操作パネル１０ｂの側部には、発光ダイオード２３を実装したプリント基板２２が配置されている。図３は仕切部材２０の組立図であり、操作パネル１０ｂの側壁部に発光ダイオード２３が装着されている。発光ダイオード２３が点灯すると、図２（ｂ）に示したように、光は反射面２０ａで反射して、その反射光が仕切部材２０の操作パネル１０ｂ側の面から放射される。また、発光ダイオード２３の光は仕切部材２０内で乱反射し、仕切部材２０が導光体となって光が仕切部材２０のパネル面側全面から放射される。発光ダイオード２３は２乃至３箇所設ける。
【００１９】
また、発光ダイオード２３は、例えば赤色と緑色の発光ダイオードを光源とし、赤色発光ダイオードと緑色発光ダイオードへの通電量を発光色可変手段により制御して、各発光ダイオードの発光光量を制御することによって、赤色及び緑色のみならず、黄色又は中間色を発色させることができる。従って、各ＲＣＰ１０の仕切部材２０を異なった色を発色させることによって、各ＲＣＰ１０の区別が容易になり、操作者は操作対象のビデオカメラのＲＣＰを見誤ることなく操作できる。無論、赤色と緑色と青色の発光ダイオードを光源としてもよい。
【００２０】
なお、図２の形態では仕切部材２０の側面から複数個の発光ダイオードを点灯するようにしているが、この実施形態に限定することなく、仕切部材２０の下方から光を入射して仕切部材２０を光導板とし、上部を反射面とし、仕切部材２０の全面から微粒子を混入したアクリル板を用いて仕切部材２０を発光させてもよい。
【００２１】
図４は、本実施形態のＲＣＰ１０を操作盤に複数台設置した状態を示している。本実施形態のＲＣＰ１０は、従来のＲＣＰより横幅が狭くなり、各ＲＣＰ１０に仕切部材２０を設けない場合、各ＲＣＰの区分けが分かり難くなるが、パネル面の色彩と異なる色彩の仕切部材２０をＲＣＰ１０に設けることによって、各ＲＣＰ１０の境界を視覚的に認識し易い利点がある。
【００２２】
上述のように、本発明のＲＣＰは、仕切部材を着色したり、仕切部材に設けた反射板に室内の光で反射させたり、或いはそれ自体が発光する素材、さらに、発光ダイオードを用いて電気的に仕切部材を発光させることによって、複数台のＲＣＰを並置したとしても目的のＲＣＰを容易に区別して操作することができる。また、ＲＣＰの名盤にこのような仕切部材を用いてもよいし、この名盤の一部に１カメ、２カメ等の対応するビデオカメラの番号を表示してもよい。
【産業上の利用可能性】
【００２３】
本発明の活用例としては、ビデオカメラやテレビカメラ等が複数台設置されたスタジオの調整室或いは中継車内等の調整室の制御盤に、ビデオカメラ等がリモートコントロールに設けられる。
【図面の簡単な説明】
【００２４】
【図１】（ａ）は、本発明の実施形態を示す正面図であり、（ｂ）はその側面図である。
【図２】（ａ）は本実施形態の斜視図とその要部拡大図であり、（ｂ）は仕切部材の要部断面図である。
【図３】本実施形態における仕切部材をパネル本体に組み込む組立図である。
【図４】本発明の実施形態の制御盤にＲＣＰが複数設置された正面図である。
【図５】従来の制御盤にＲＣＰシステムを示すブロック図である。
【図６】従来の制御盤にＲＣＰが複数設置された正面図である。
【符号の説明】
【００２５】
１０  ＲＣＰ
１０ａ  筐体
１０ｂ  操作パネル
１１  ジョイステック装置
１１ａ  アイリスのオートスイッチ
１２，１４  スイッチ群
１３  ディスプレイ
１５  ＣＡＭ電源スイッチ
１６  アラーム表示灯
１７，１８  取付耳部
１９  コネクタ群
２０  仕切部材
２０ａ  反射面
２０ｂ  銀印刷層
２０ｃ  黒印刷
２１  上部プレート部分
２２  プリント基板
２３  発光ダイオード
【図１】
2006279642.tif 000003
【図２】
2006279642.tif 000004
【図３】
2006279642.tif 000005
【図４】
2006279642.tif 000006
【図５】
2006279642.tif 000007
【図６】
2006279642.tif 000008